(57)【特許請求の範囲】
【請求項１】
左右方向に細長形状のデスク天板間隙を介して前後方向に離反した少なくとも前後一対のデスク天板部材と、
左右方向に離反した位置で床面に立設されて複数の前記デスク天板部材を支持する複数の天板支持立脚と、
前記デスク天板間隙の前後両側の下方に位置して複数の前記天板支持立脚を連結している少なくとも前後一対からなる立脚連結ビームと、
前記立脚連結ビームに左右方向に移動自在であるとともに着脱される少なくとも前後一対のオプション支持部材と、
少なくとも前後一対の左右方向に移動自在な前記オプション支持部材で支持されて前記デスク天板間隙に位置する着脱オプション部材と、
を有し、
前記オプション支持部材は、前記着脱オプション部材に対して左右方向に移動可能である、デスクシステム。
【請求項２】
前記デスク天板部材の天板部材下面と前記立脚連結ビームの連結ビーム上面とが離反しており、
前記オプション支持部材は、前記デスク天板間隙の内側から弾発的に把持する矩形のＣ字状のビーム把持部分が形成されている、
請求項１に記載のデスクシステム。
【請求項３】
前記着脱オプション部材は、前後一対のオプション前後壁部の前後外側に下面開口の支持係合凹溝が左右方向に形成されており、
前記オプション支持部材は、前記着脱オプション部材の支持係合凹溝に下方から挿入されるオプション支持凸部が形成されている、
請求項１または２に記載のデスクシステム。
【請求項４】
前記オプション支持部材は、前記オプション支持凸部の下端に支持凸部下段が形成されており、
前記着脱オプション部材は、前記支持係合凹溝に挿入された前記オプション支持凸部の支持凸部下段に係脱自在に弾発係合する弾発性係合爪が形成されている、
請求項３に記載のデスクシステム。
【請求項５】
前記着脱オプション部材は、
前後一対の前記オプション前後壁部の下縁が平板状のオプション部材底部で連結されており、
前記オプション部材底部の左右両端の中央部分に平面形状が凹状の底部両端凹部が形成されている請求項１ないし４の何れか一項に記載のデスクシステム。
【発明の詳細な説明】
【技術分野】
【０００１】
本発明は、天板支持立脚と立脚連結ビームとデスク天板部材とを有するデスクシステム、そのデスクオプションセット、に関する。
【背景技術】
【０００２】
現在、天板支持立脚と立脚連結ビームとデスク天板部材とで組み立てられたデスクシステムがある。このようなデスクシステムでは、例えば、天板支持立脚は、床面に立設される形状に形成されており、複数が左右方向に離反されて配列される。
【０００３】
立脚連結ビームは、左右方向に細長形状に形成されており、左右方向に離反されて配列された複数の天板支持立脚を連結する。デスク天板部材は、上面が水平な平板状に形成されており、連結された複数の天板支持立脚で支持される。
【０００４】
このようなデスクシステムでは、例えば、天板支持立脚と立脚連結ビームとデスク天板部材とを増設することにより、左右方向に長大に形成することができる。また、前後方向に離反させた一対のデスク天板部材を天板支持部材で支持することにより、デスクシステムの前後方向の中央に、左右方向に連通するデスク天板間隙を確保することもできる。
【０００５】
このようなデスクシステムでは、例えば、デスクオプションセットでデスクランプなどのデスク周辺機器を装着し、そのデスク周辺機器の周辺機器配線を上述のデスク天板間隙に挿通させることができる。
【０００６】
その場合、単純に周辺機器配線をデスク天板間隙に挿通させると、デスクシステムの内部床面で周辺機器配線が邪魔となることがある。そこで、離反させた一対のデスク天板部材のデスク天板間隙に着脱オプション部材である配線支持トレーを配置し、この配線支持トレーで周辺機器配線を支持させるデスクシステムがある（例えば、特許文献１参照）。
【０００７】
特許文献１のデスクシステムでは、離反させた一対のデスク天板部材のデスク天板間隙に配線支持トレーを配置し、この配線支持トレーで周辺機器配線を支持させる。このため、デスクシステムの内部床面で周辺機器配線が邪魔となることなどを防止できる。
【先行技術文献】
【特許文献】
【０００８】
【特許文献１】特開２００８−１１９２３５号公報
【発明の概要】
【発明が解決しようとする課題】
【０００９】
上述のような配線支持トレーは、デスク天板部材の縁部下方に位置する立脚連結ビームに装着される。しかし、このような構造のデスクシステムでは、配線支持トレーとは別個のデスクオプション部品をデスク天板部材や立脚連結ビームに装着することもある。この場合、その別個のデスクオプション部品と配線支持トレーとが干渉し、配線支持トレーを所望の位置に配置できないことがある。
【００１０】
本発明は上述のような課題に鑑みてなされたものであり、前後方向に離反したデスク天板部材のデスク天板間隙に、別個のデスクオプション部品がデスク天板部材や立脚連結ビームに設置されても、デスクオプションセットを所望の位置に設置することができるデスクシステム、そのデスクオプションセット、を提供するものである。
【課題を解決するための手段】
【００１１】
本発明のデスクシステムは、左右方向に細長形状のデスク天板間隙を介して前後方向に離反した少なくとも前後一対のデスク天板部材と、左右方向に離反した位置で床面に立設されて複数の上記デスク天板部材を支持する複数の天板支持立脚と、上記デスク天板間隙の前後両側の下方に位置して複数の上記天板支持立脚を連結している少なくとも前後一対からなる立脚連結ビームと、  上記立脚連結ビームに左右方向に移動自在であるとともに着脱される少なくとも前後一対のオプション支持部材と、少なくとも前後一対の左右方向に移動自在な上記オプション支持部材で支持されて上記デスク天板間隙に位置する着脱オプション部材と、を有し、上記オプション支持部材は、上記着脱オプション部材に対して左右方向に移動可能である。
【００１２】
従って、このデスクシステムでは、デスク天板間隙の内側から立脚連結ビームの任意の左右位置に、少なくとも前後一対のオプション支持部材が着脱される。このように装着されたオプション支持部材に、着脱オプション部材が任意の左右位置で着脱自在に支持される。このため、デスクシステムのデスク天板間隙に着脱オプション部材が配置される。ただし、このようにデスク天板間隙の所定位置に着脱オプション部材を配置したまま、支持するオプション支持部材を左右方向に移動させることができる。
【００１３】
上述のようなデスクシステムにおいて、さらに本発明では、上記デスク天板部材の天板部材下面と上記立脚連結ビームの連結ビーム上面とが離反しており、上記オプション支持部材は、上記デスク天板間隙の内側から弾発的に把持する矩形のＣ字状のビーム把持部分が形成されている。
【００１４】
従って、このデスクシステムでは、デスク天板部材と立脚連結ビームとが上下方向に離反していることを利用して、デスク天板間隙の内側からデスク天板部材の下方の立脚連結ビームにオプション支持部材が着脱される。
【００１５】
上述のようなデスクシステムにおいて、さらに本発明では、上記着脱オプション部材は、前後一対の上記オプション前後壁部の前後外側に下面開口の支持係合凹溝が左右方向に形成されており、上記オプション支持部材は、上記着脱オプション部材の支持係合凹溝に下方から挿入されるオプション支持凸部が形成されている。
【００１６】
従って、このデスクシステムでは、着脱オプション部材に左右方向に形成されている下面開口の支持係合凹溝に、オプション支持部材のオプション支持凸部が下方から挿入される。このため、支持係合凹溝とオプション支持凸部との係合により、着脱オプション部材がオプション支持部材で支持される。ただし、その支持係合凹溝が左右方向に形成されているので、着脱オプション部材を移動させることなく、オプション支持部材が左右方向に移動される。
【００１７】
上述のようなデスクシステムにおいて、さらに本発明では、上記オプション支持部材は、上記オプション支持凸部の下端に支持凸部下段が形成されており、上記着脱オプション部材は、上記支持係合凹溝に挿入された上記オプション支持凸部の支持凸部下段に係脱自在に弾発係合する弾発性係合爪が形成されている。
【００１８】
従って、このデスクシステムでは、オプション支持部材のオプション支持凸部の下端に形成されている支持凸部下段に、着脱オプション部材の弾発性係合爪が係脱自在に弾発係合する。このため、着脱オプション部材の支持係合凹溝とオプション支持部材のオプション支持凸部との係合が、弾発性係合爪により解除自在に維持される。
【００１９】
上述のようなデスクシステムにおいて、さらに本発明では、上記着脱オプション部材は、前後一対の上記オプション前後壁部の下縁が平板状のオプション部材底部で連結されており、上記オプション部材底部の左右両端の中央部分に平面形状が凹状の底部両端凹部が形成されている。
【００２０】
従って、このデスクシステムでは、着脱オプション部材の平板状のオプション部材底部の左右両端の中央部分に底部両端凹部が形成されている。このため、例えば、着脱オプション部材を配線支持トレーとして使用した場合に、周辺機器配線がオプション部材底部で支持され、底部両端凹部から下方に誘導される。
【００２１】
本発明のデスクオプションセットは、本発明のデスクシステムのデスクオプションセットであって、上記立脚連結ビームに左右方向に移動自在に着脱される少なくとも前後一対のオプション支持部材と、少なくとも前後一対の左右方向に移動自在な上記オプション支持部材で支持されて上記デスク天板間隙に位置する着脱オプション部材と、を有する。
【００２２】
従って、このデスクオプションセットでは、デスクシステムのデスク天板間隙の内側から立脚連結ビームの任意の左右位置に、少なくとも前後一対のオプション支持部材が着脱される。このように装着されたオプション支持部材に、着脱オプション部材が任意の左右位置で着脱自在に支持される。このため、デスクシステムのデスク天板間隙に着脱オプション部材が配置される。ただし、このようにデスク天板間隙の所定位置に着脱オプション部材を配置したまま、支持するオプション支持部材が左右方向に移動される。
【００２３】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２４】
さらに、本発明では鉛直方向となる上下方向だけでなく水平方向に直交する前後方向と左右方向も規定しているが、これは本発明の構成要素の相対関係を簡単に説明するために便宜的に規定したものであり、本発明を実施する場合の製造時や使用時の方向を限定するものではない。
【００２５】
ただし、本発明で云う前後左右上下の方向とは、完全に幾何学的に直交している必要はなく、相対的に前後左右上下となる方向となっていればよく、例えば、各方向が任意の方向に傾斜していてもよい。
【発明の効果】
【００２６】
本発明のデスクシステムでは、デスクシステムのデスク天板間隙に着脱オプション部材を配置することができる。ただし、このようにデスク天板間隙の所定位置に着脱オプション部材を配置したまま、支持するオプション支持部材を左右方向に移動させることができる。従って、例えば、デスク天板間隙の位置でデスク天板部材や立脚連結ビームに装着した別個のデスクオプション部品が、着脱オプション部材を支持するオプション支持部材と干渉するような場合でも、その着脱オプション部材を移動させることなく、オプション支持部材のみ移動させたり取り外すことができる。
【図面の簡単な説明】
【００２７】
【図１】本発明の実施の一形態のデスクシステムでシステムデスク本体にデスクオプションセットを装着した状態を示す縦断側面図である。
【図２】本発明の実施の一形態のデスクシステムでシステムデスク本体にデスクオプションセットの装着オプション部材である配線支持トレーとオプション支持部材とを装着する以前の状態を示す縦断側面図である。
【図３】本発明の実施の一形態のデスクシステムでシステムデスク本体にデスクオプションセットのオプション支持部材を装着した状態を示す縦断側面図である。
【図４】本発明の実施の一形態のデスクオプションセットの配線支持トレーと四個のオプション支持部材との外観を示す分解斜視図である。
【図５】本発明の実施の一形態のデスクオプションセットの配線支持トレーの外観を示す斜視図である。
【図６】本発明の実施の一形態のデスクオプションセットの配線支持トレーとオプション支持部材とを係合させる状態の要部を示す斜視図である。
【図７】本発明の実施の一形態のデスクシステムのシステムデスク本体を組み立てる第一段階の状態を示す分解斜視図である。
【図８】本発明の実施の一形態のデスクシステムのシステムデスク本体を組み立てる第二段階の状態を示す分解斜視図である。
【図９】本発明の実施の一形態のデスクシステムのシステムデスク本体を組み立てる第三段階の状態を示す分解斜視図である。
【図１０】本発明の実施の一形態のデスクシステムの完成したシステムデスク本体にデスクオプションセットを装着する状態を示す分解斜視図である。
【図１１】本発明の実施の一形態のデスクシステムのデスク天板部材を取り外したシステムデスク本体にデスクオプションセットを装着する状態を示す分解斜視図である。
【図１２】本発明の実施の一形態のデスクシステムのシステムデスク本体に複数のデスクオプションセットを装着した状態を示す分解斜視図である。
【図１３】本発明の実施の一形態のデスクシステムのデスクオプションセットで配線支持トレーを支持するオプション支持部材を左右移動させた状態を示す斜視図である。
【図１４】本発明の実施の一形態のデスクシステムの一変形例のシステムデスク本体にデスクオプションセットを装着する状態を示す分解斜視図である。
【発明を実施するための形態】
【００２８】
本発明の実施の一形態に関して図面を参照して以下に説明する。なお、本実施の形態では図示するように上下以外に前後左右の方向も規定して説明する。しかし、これは構成要素の相対関係を簡単に説明するために便宜的に規定するものである。従って、本発明を実施する製品の製造時や使用時の方向を限定するものではない。
【００２９】
本実施の形態のデスクシステム１０００は、図１ないし図１３に示すように、システムデスク本体２０００と、デスクオプションセット３０００と、を有する。システムデスク本体２０００は、図７ないし図１２に示すように、天板支持立脚２１００，２２００と、立脚連結ビーム２３００と、デスク天板部材２４００と、を有する。
【００３０】
天板支持立脚２１００，２２００は、図７ないし図９に示すように、左右両端に使用される天板支持立脚２１００と、中間部分に使用される天板支持立脚２２００の二種類からなり、床面に立設される。
【００３１】
左右一対の天板支持立脚２１００は、前後一対の上下方向に細長形状の支持立脚部分２１１０と、これら前後一対の支持立脚部分２１１０を上端で連結している前後方向に細長形状の天板支持部分２１２０と、を有する。
【００３２】
中間部分の天板支持立脚２２００は、上下方向に細長形状の一本の支持立脚部分２２１０と、この支持立脚部分２２１０の上端に連結されている前後方向に細長形状の天板支持部分２２２０と、を有する。
【００３３】
立脚連結ビーム２３００は、左右方向に細長形状に形成されており、複数の天板支持立脚２１００，２２００の上端近傍を連結している。より具体的には、立脚連結ビーム２３００は、前後方向に離反した一対で、複数の天板支持立脚２１００，２２００の天板支持部分２１２０，２２２０の中央部分に連結される。
【００３４】
このとき、立脚連結ビーム２３００は、その連結ビーム上面２３０１が天板支持部分２１２０，２２２０の支持部分上面２１２１，２２２１より下方に位置する配置で天板支持立脚２１００，２２００に連結される。
【００３５】
デスク天板部材２４００は、平板状に形成されており、上述のように立脚連結ビーム２３００で連結された天板支持立脚２１００，２２００の支持部分上面２１２１，２２２１で支持されている。
【００３６】
本実施の形態のシステムデスク本体２０００では、図８に示すように、左右一対の天板支持立脚２１００と中央一個の天板支持立脚２２００とが、前後一対かつ左右一対の立脚連結ビーム２３００により連結されている。
【００３７】
そこで、デスク天板部材２４００は、図９および図１０に示すように、前後左右に配列された四枚が、立脚連結ビーム２３００で連結された天板支持立脚２１００，２２００の支持部分上面２１２１，２２２１で支持されている。
【００３８】
このとき、デスク天板部材２４００は、前後方向に離反して配置されるため、四枚のデスク天板部材２４００からなるシステムデスク天板１４００には、左右方向に連通するスリット状のデスク天板間隙ＧＡが前後方向の中央に形成される。
【００３９】
また、前述のように立脚連結ビーム２３００の連結ビーム上面２３０１は天板支持部分２１２０，２２２０の支持部分上面２１２１，２２２１より下方に位置するため、図１ないし図４に示すように、立脚連結ビーム２３００がデスク天板部材２４００のデスク天板間隙ＧＡと対向する天板外周縁部の下方に離反して位置する。
【００４０】
本実施の形態のデスクシステム１０００のデスクオプションセット３０００は、図１ないし図４等に示すように、配線支持トレー３１００と、オプション支持部材３２００と、を有する。
【００４１】
配線支持トレー３１００は、図１に示すように、デスク天板間隙ＧＡの下方に配置され、デスク周辺機器の周辺機器配線の支持に利用される（図示せず）。この配線支持トレー３１００は、図１ないし図５に示すように、オプション前後壁部３１１０と、オプション部材底部３１２０と、を有する。
【００４２】
オプション前後壁部３１１０は、前後一対の左右方向に長方形状の鉛直な平板状に形成されており、オプション部材底部３１２０は、左右方向に長方形状の水平な平板状に形成されている。配線支持トレー３１００は、弾発性の樹脂の成型品からなり、前後一対のオプション前後壁部３１１０が下縁部でオプション部材底部３１２０に連結されている。
【００４３】
オプション支持部材３２００は、図４に示すように、少なくとも前後一対となる四個が用意されており、図２および図３に示すように、デスク天板間隙ＧＡの内側から、立脚連結ビーム２３００に左右方向に移動自在に着脱される。
【００４４】
図１ないし図５等に示すように、システムデスク本体２０００のデスク天板間隙ＧＡには、任意の左右位置で複数の複数のオプション支持部材３２００が装着され、この複数のオプション支持部材３２００により、配線支持トレー３１００は任意の左右位置で着脱自在に支持される。
【００４５】
より具体的には、オプション支持部材３２００は、弾発性のある樹脂の成型品からなり、図４に示すように、左右方向の全長が配線支持トレー３１００の、例えば、六分の一以下に形成されている。
【００４６】
オプション支持部材３２００は、立脚連結ビーム２３００をデスク天板間隙ＧＡの内側から弾発的に把持する矩形のＣ字状のビーム把持部分３２１０が形成されている。このビーム把持部分３２１０の前後内側の下部には、オプション支持凸部３２２０が上方に突設されている。
【００４７】
さらに、このオプション支持凸部３２２０が内側に突出してから上方に突出した、Ｌ字状の縦断正面形状に形成されていることにより、その下部で支持凸部下段３２３０が形成されている。また、さらに支持凸部下段３２３０の下方には、配線支持トレー３１００の外側面に当接するオプション当接部分３２４０が形成されている。
【００４８】
配線支持トレー３１００も、弾発性のある樹脂の成型品からなり、図１ないし図３等に示すように、前後一対のオプション前後壁部３１１０の前後外側に、下面開口の支持係合凹溝３１１１が左右方向に形成されている。
【００４９】
このため、支持係合凹溝３１１１にオプション支持凸部３２２０が下方から挿入されることにより、配線支持トレー３１００がオプション支持部材３２００で支持される。さらに、配線支持トレー３１００は、前後一対のオプション前後壁部３１１０に、左右方向に複数の弾発性係合爪３１１２が形成されている。
【００５０】
この弾発性係合爪３１１２は、図６に示すように、上端が前後内側に弾発的に湾曲自在に形成されており、支持係合凹溝３１１１に挿入されたオプション支持凸部３２２０の支持凸部下段３２３０に係脱自在に弾発係合する。
【００５１】
また、配線支持トレー３１００は、図４ないし図６に示すように、オプション部材底部３１２０の左右両端の中央部分に平面形状が凹状の、底部両端凹部である配線誘導凹部３１２１が形成されている。
【００５２】
さらに、このオプション部材底部３１２０の左右両端の配線誘導凹部３１２１の左右内側には、図４および図６に示すように、底部ナット保持部３１２２が形成されており、この底部ナット保持部３１２２に六角ナット（図示せず）が装着される。
【００５３】
なお、オプション部材底部３１２０の左右両端の配線誘導凹部３１２１の前後両側には、配線誘導凸部３１２３が上方に立設されている。また、図５に示すように、オプション部材底部３１２０の底面外周および要部には、底部補強リブ３１２４が下方に立設されている。さらに、図１ないし図６に示すように、オプション部材底部３１２０には、左右方向に細長形状の複数の底部貫通孔３１２５が前後左右に配列されて形成されている。
【００５４】
上述のような構成において、本実施の形態のデスクシステム１０００では、図７および図８に示すように、所望により左右両側の天板支持立脚２１００が立脚連結ビーム２３００により左右中央の天板支持立脚２２００と連結される。
【００５５】
そして、図９に示すように、上述のように連結された天板支持立脚２１００，２２００の支持部分上面２１２１，２２２１に、四枚のデスク天板部材２４００が前後左右に配列されて装着される。
【００５６】
このように形成されたシステムデスク本体２０００は、図１０に示すように、四枚のデスク天板部材２４００からなる一枚のシステムデスク天板１４００の前後方向の中央に、左右方向に連通するスリット状のデスク天板間隙ＧＡが形成される。
【００５７】
このデスク天板間隙ＧＡの両側に位置するデスク天板部材２４００の前後縁部の下方には、立脚連結ビーム２３００が離反して位置している。このため、図１０ないし図１２に示すように、例えば、デスク周辺機器の周辺機器配線を支持する配線支持トレー３１００を、立脚連結ビーム２３００に懸架させることができる。
【００５８】
その場合、図２および図３に示すように、弾発性の樹脂からなるオプション支持部材３２００の矩形のＣ字状のビーム把持部分３２１０を、立脚連結ビーム２３００にデスク天板間隙ＧＡの内側から弾発的に把持させる。
【００５９】
このとき、図４および図１１に示すように、通常は四個のオプション支持部材３２００が一個の配線支持トレー３１００の四隅に位置するように配置する。このように四個のオプション支持部材３２００の装着が完了すると、図１１に示すように、その四個のオプション支持部材３２００で一個の配線支持トレー３１００を支持させる。
【００６０】
その場合、図３に示すように、オプション支持部材３２００のオプション支持凸部３２２０を、配線支持トレー３１００の前後一対のオプション前後壁部３１１０の支持係合凹溝３１１１に下方から挿入させる。これで図１に示すように、オプション支持凸部３２２０と支持係合凹溝３１１１との係合により、配線支持トレー３１００がオプション前後壁部３１１０で支持される。
【００６１】
このとき、支持係合凹溝３１１１に挿入されたオプション支持凸部３２２０の支持凸部下段３２３０に弾発性係合爪３１１２が係脱自在に弾発係合することで、オプション前後壁部３１１０による配線支持トレー３１００の保持が解除自在に維持される。
【００６２】
さらに、オプション支持部材３２００のオプション当接部分３２４０が配線支持トレー３１００の外側面に当接するので、より確実に配線支持トレー３１００がオプション前後壁部３１１０で支持される。
【００６３】
このようにすることで、システムデスク本体２０００の左右方向に連通するスリット状のデスク天板間隙ＧＡの内部に配線支持トレー３１００を懸架させることができ、デスク周辺機器の周辺機器配線を支持させることができる。
【００６４】
なお、図１２に示すように、システムデスク本体２０００のデスク天板間隙ＧＡの内部に左右方向に複数の配線支持トレー３１００を設置することもでき、この場合は周辺機器配線をシステムデスク本体２０００の左右一端から左右他端まで支持させるようなことができる。
【００６５】
特に、本実施の形態のデスクシステム１０００のデスクオプションセット３０００では、図１３（ａ）に示すように、配線支持トレー３１００の前後左右の四隅を四個のオプション支持部材３２００で個々に支持できるので、配線支持トレー３１００を四隅で安定に支持することができる。
【００６６】
ただし、上述のようなシステムデスク本体２０００のデスク天板間隙ＧＡの位置に、デスクランプなどのデスク周辺機器をデスクオプションセットで装着するようなこともある（図示せず）。
【００６７】
このような場合、そのデスクオプションセットとオプション支持部材３２００とが干渉することがある。しかし、本実施の形態のデスクシステム１０００のデスクオプションセット３０００では、図１３（ｂ）（ｃ）に示すように、配線支持トレー３１００を支持するオプション支持部材３２００を左右方向に移動させることができる。
【００６８】
このため、上述のように配線支持トレー３１００を支持するオプション支持部材３２００と別個のデスクオプション部品とが干渉するような場合でも、その配線支持トレー３１００を移動させることなく、干渉するオプション支持部材３２００のみ移動させたり取り外すことができる。
【００６９】
特に、オプション支持部材３２００の左右方向の全長が配線支持トレー３１００の六分の一以下なので、上述のように支持された配線支持トレー３１００を移動させることなく、オプション支持部材３２００を左右方向に大幅に移動させることができる。
【００７０】
しかも、支持係合凹溝３１１１とオプション支持凸部３２２０との係合により、配線支持トレー３１００がオプション支持部材３２００で支持される。その支持係合凹溝３１１１が左右方向に形成されているので、配線支持トレー３１００を支持するオプション支持部材３２００を左右方向に容易に移動させることができる。
【００７１】
さらに、また、本実施の形態のデスクシステム１０００のデスクオプションセット３０００では、オプション支持部材３２００のオプション支持凸部３２２０の下端に形成されている支持凸部下段３２３０に、配線支持トレー３１００の弾発性係合爪３１１２が係脱自在に弾発係合する。
【００７２】
このため、配線支持トレー３１００の支持係合凹溝３１１１とオプション支持部材３２００のオプション支持凸部３２２０との係合を、弾発性係合爪３１１２により解除自在に維持することができる。
【００７３】
さらに、オプション支持部材３２００の支持凸部下段３２３０の下方のオプション当接部分３２４０が配線支持トレー３１００の外側面に当接する。このため、より良好にオプション支持部材３２００で配線支持トレー３１００が支持される。
【００７４】
また、本実施の形態のデスクシステム１０００のデスクオプションセット３０００では、例えば、配線支持トレー３１００のオプション部材底部３１２０で支持する周辺機器配線を配線誘導凹部３１２１から下方に誘導することができる。このため、複数の配線支持トレー３１００を左右方向に密着させて配列させても、支持する周辺機器配線を配線誘導凹部３１２１から下方に誘導することができる。
【００７５】
さらに、本実施の形態のデスクシステム１０００のデスクオプションセット３０００では、配線支持トレー３１００のオプション部材底部３１２０の配線誘導凹部３１２１の左右内側に底部ナット保持部３１２２が形成されている。
【００７６】
このため、この底部ナット保持部３１２２に六角ナットを挿入し、複数の周辺機器配線を束ねる配線保持チューブ（図示せず）などを六角ボルトで配線支持トレー３１００の底面に装着するようなこともできる。
【００７７】
また、本実施の形態のデスクオプションセット３０００のオプション支持部材３２００は、弾発性の樹脂で形成されている。このため、システムデスク本体２０００の変形しない立脚連結ビーム２３００に容易に着脱することができる。
【００７８】
さらに、配線支持トレー３１００も弾発性の樹脂で形成されている。このため、前述のように配線支持トレー３１００の支持係合凹溝３１１１とオプション支持部材３２００のオプション支持凸部３２２０との係合を弾発性係合爪３１１２によりロックしても、図６に示すように、これを容易に解除することができる。
【００７９】
また、上述のように樹脂からなる配線支持トレー３１００は、板金製品などに比較して必然的に断熱性が高い。そして、このような配線支持トレー３１００で支持される周辺機器配線は多分に発熱する。
【００８０】
しかし、本実施の形態デスクオプションセット３０００の配線支持トレー３１００では、支持トレー底部３１２０に複数の底部貫通孔３１２５が前後左右に配列されて形成されている。このため、底部貫通孔３１２５からデスク天板間隙ＧＡの上方に流動する空気により、支持トレー底部３１２０で支持される周辺機器配線の発熱を放熱することができる。
【００８１】
そして、図５に示すように、支持トレー底部３１２０の底面には外周および要所に底部補強リブ３１２４が下方に立設されている。このため、上述のように複数の底部貫通孔３１２５が前後左右に形成されていても、支持トレー底部３１２０の強度低下が底部補強リブ３１２４により防止されている。
【００８２】
また、配線支持トレー３１００の前後両側のオプション前後壁部３１１０には、周辺機器配線の発熱を放熱する貫通孔は形成されていない。しかし、前述のように支持トレー底部３１２０の左右両端の前後中央には配線誘導凹部３１２１が形成されており、その前後両側には配線誘導凸部３１２３が立設されている。
【００８３】
このため、周辺機器配線は基本的に支持トレー底部３１２０の前後中央に位置することになる。このため、支持トレー底部３１２０の全面に底部貫通孔３１２５が形成されていれば、オプション前後壁部３１１０に放熱孔が形成されていなくとも、周辺機器配線の発熱を良好に放熱することができる。
【００８４】
特に、樹脂の成型品からなる配線支持トレー３１００のオプション前後壁部３１１０に貫通孔を形成するためには移動金型などが必要となるが、上述のようにオプション前後壁部３１１０に貫通孔を形成しないならば、一対の金型（図示せず）で配線支持トレー３１００を容易に樹脂成型することができる。
【００８５】
なお、本発明は本実施の形態に限定されるものではなく、その要旨を逸脱しない範囲で各種の変形を許容する。例えば、上記形態では平面形状が矩形の配線支持トレー３１００を四個のオプション支持部材３２００で四隅で支持することを例示した。
【００８６】
しかし、例えば、多量の周辺機器配線の重量があるようなとき、配線支持トレー３１００を六個以上のオプション支持部材３２００で支持するようなこともでき、一本の軽量な周辺機器配線を支持するようなとき、配線支持トレー３１００を三個のオプション支持部材３２００で支持するようなこともできる（図示せず）。
【００８７】
また、上記形態ではシステムデスク本体２０００のデスク天板間隙ＧＡの下方に配線支持トレー３１００を配置し、周辺機器配線を支持させることを想定した。しかし、このような配線支持トレー３１００で周辺機器配線ではない部材を支持してもよい。
【００８８】
つまり、上記形態ではオプション支持部材３２００で、着脱オプション部材として配線支持トレー３１００を支持することを例示した。しかし、上述のようなオプション支持部材３２００で、配線支持トレー３１００ではない着脱オプション部材を支持してもよい（図示せず）。
【００８９】
さらに、上記形態では左右一対の天板支持立脚２１００と左右中央の天板支持立脚２２００とで、前後一対のデスク天板部材２４００が左右方向に二枚支持されているデスクシステム１０００を例示した。
【００９０】
しかし、中央の天板支持立脚２２００と前後一対のデスク天板部材２４００とを増設することにより、左右方向に長大なデスクシステム（図示せず）を形成することもできる。一方、図１４に示すように、中央の天板支持立脚２２００を使用することなく左右一対の天板支持立脚２１００のみで、前後一対のデスク天板部材２４００のみが支持されているデスクシステム１０００を形成することもできる。
【００９１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００９２】
１０００  デスクシステム
１４００  システムデスク天板
２０００  システムデスク本体
２１００，２２００  天板支持立脚
２１２１，２２２１  支持部分上面
２３００  立脚連結ビーム
２４００  デスク天板部材
３０００  デスクオプションセット
３１００  着脱オプション部材である配線支持トレー
３１１０  オプション前後壁部
３１１１  支持係合凹溝
３１１２  弾発性係合爪
３１２０  オプション部材底部
３１２１  配線誘導凹部
３２００  オプション支持部材
３２２０  オプション支持凸部
３２３０  支持凸部下段
ＧＡ  デスク天板間隙
【図１】
0005953105.tif 000002
【図２】
0005953105.tif 000003
【図３】
0005953105.tif 000004
【図４】
0005953105.tif 000005
【図５】
0005953105.tif 000006
【図６】
0005953105.tif 000007
【図７】
0005953105.tif 000008
【図８】
0005953105.tif 000009
【図９】
0005953105.tif 000010
【図１０】
0005953105.tif 000011
【図１１】
0005953105.tif 000012
【図１２】
0005953105.tif 000013
【図１３】
0005953105.tif 000014
【図１４】
0005953105.tif 000015